(57)【要約】【課題】簡単な操作により、撮影画像データと共に、撮影画像データに付随させる付随データとしての測位データを記録する。【解決手段】DSC３は、内部に、撮像部３１、画像処理部３２、データメモリ部３３、表示制御部３４、タイマ３５、文字認識処理部３６、パターンデータ格納部３７、位置情報抽出部３８、スイッチI/F部３９、カメラ制御部４０を備えている。ここで、カメラ制御部４０は、DSC３内の各部を制御する制御部である。【選択図】図４
2008016980.tif 000002
【特許請求の範囲】
【請求項１】
被写体を撮像する撮像手段と、
前記撮像手段が撮像した撮像信号を信号処理し画像データを生成する信号処理手段と、
前記画像データを格納する画像格納手段と、
前記撮像手段が撮像した、現在位置情報を取得し前記現在位置情報を表示部に表示した位置情報表示手段の前記表示部の位置情報画像より、前記現在位置情報の数値データを抽出する位置情報抽出手段と、
前記位置情報抽出手段が抽出した前記数値データを前記画像格納手段への格納を制御する数値データ格納制御手段と
を備えたことを特徴とするデジタルスチルカメラ。
【請求項２】
前記信号処理手段は、所定フォーマット形式の画像データを生成し、
前記位置情報抽出手段は、前記所定フォーマット形式の付随データとして前記現在位置情報を抽出する
ことを特徴とする請求項１に記載のデジタルスチルカメラ。
【請求項３】
前記所定フォーマット形式は、Exif形式フォーマットである
ことを特徴とする請求項１または２に記載のデジタルスチルカメラ。
【請求項４】
位置情報表示手段は、携帯電話である
ことを特徴とする請求項１ないし３のいずれか１つに記載のデジタルスチルカメラ。
【請求項５】
被写体を撮像する撮像手段と、
前記撮像手段が撮像した撮像信号を信号処理し画像データを生成する信号処理手段と、
前記画像データを格納する画像格納手段と、
現在位置情報を取得し前記現在位置情報を表示部に表示した位置情報表示手段と、
前記撮像手段が撮像した、前記位置情報表示手段の前記表示手段に表示された前記現在位置情報を取得し前記現在位置情報を表示部に表示した位置情報表示手段の前記表示部の位置情報画像より、前記現在位置情報の数値データを抽出する位置情報抽出手段と
前記位置情報抽出手段が抽出した前記数値データを前記画像格納手段への格納を制御する数値データ格納制御手段と
を備えたことを特徴とする測位データ付き画像記録システム。
【発明の詳細な説明】
【技術分野】
【０００１】
本発明は、少なくとも、測位情報を画像データに付随させて記録するデジタルスチルカメラ及び測位データ付き画像記録システムに関する。
【背景技術】
【０００２】
近年、写真技術のデジタル化に伴い、撮影画像データに様々な付随データを付加して記録することができるようになっている。この付随データは、一般的に利用される、撮影時の情報記録方法としての、例えばExif等で規格化されたフォーマットに基づいて、撮影画像データに付加されたタグデータとして記録される。
【０００３】
この付随データの１つとして、撮影場所の位置情報（位置座標データ＝緯度及び経度）があるが、この位置情報を撮影画像データと共に記録することで、撮影場所の特定、撮影後の撮影位置に基づいた編集等、様々な用途に撮影画像データを活用することができる。
【０００４】
このような位置情報を記録するには、当然のことながら、現在位置を求める（測位ともいう）ことが必要となるが、今日では、測位手段としてＧＰＳ（Global 
Positioning System ）が普及している。
【０００５】
例えば、特開平５−１１０９７２号公報や特開平８−１２９２１６号公報等では、上記ＧＰＳによって得られた位置情報（位置座標データ＝緯度及び経度）を撮影した画像に付加して記録するデジタルカメラが提案されている。これら従来技術においては、デジタルカメラにＧＰＳ機能を内蔵させることも示唆されている。
【０００６】
ところが、ＧＰＳでは、一旦、人工衛星の位置を見失うと、再度、補足するまでに長時間を要するので、人工衛星の位置を常に把握しておく必要がある。そのために、デジタルカメラにＧＰＳ機能を内蔵させると、デジタルカメラにおいて常に人口衛星を追尾する必要があり、デジタルカメラ自体の消費電力が増加し、例えば電源が断たれる等が生じ、本来の機能である撮影機能を十分にいかすことができないといった問題等が生じる恐れがある。
【０００７】
そこで、例えば特開２００４−１２５４９０号公報等では、ＧＰＳ機能を搭載した携帯電話等を利用し、この携帯電話から測位データを、有線または無線にてデジタルカメラに取り込む方法が提案されている。
【０００８】
一方、デジタルカメラは、その主機能としてレンズを通じて画像を取り込むことができるので、例えば特開２０００−３０６０７６号公報等では、文章等の文字を撮影して、一旦、文字画像として取り込み、例えばOCR等の文字認識機能を用いることで、文字のコードデータとして記録するデジタルカメラが提案されている。
【０００９】
このようなデジタルカメラを用いることで、例えばＧＰＳ機能付き携帯端末のモニタに位置情報を表示させ、その位置情報が表示されたモニタの表示画面を撮影することで、デジタルカメラに位置情報を文字のコードデータとして取り込むことが可能である。
【特許文献１】特開平５−１１０９７２号公報
【特許文献２】特開平８−１２９２１６号公報
【特許文献３】特開２００４−１２５４９０号公報
【特許文献４】特開２０００−３０６０７６号公報
【発明の開示】
【発明が解決しようとする課題】
【００１０】
しかしながら、ＧＰＳ機能を搭載した携帯電話等を利用し、デジタルカメラに測位データを有線あるいは無線にて取り込ませる上記従来技術（例えば特許文献３）においては、デジタルカメラ本来の機能である撮影操作と、携帯電話とのデータの送受信操作とは操作内容が異なり、撮影画像と共に測位データを付随データとして記録するには、撮影とデータの取り込むといった異なる操作を連続し行う必要があり、操作が煩雑になるといった問題がある。具体的には、撮影操作では、ユーザは、例えば撮影条件、画像処理条件等を設定し、モニタ等を用いて被写体の構図を決定してシャッタを押下するといった操作を行うこととなる。一方、携帯電話とのデータの送受信操作では、ユーザはモニタ等にメニューを表示させ、このメニュー画面から通信に必要な設定画面を展開し、このような設定画面を用いて、例えば送信先の決定、要求する送信内容の設定等の種々の設定を行うといった操作を行う必要がある。
【００１１】
また、上記従来技術（例えば特許文献４）のように、位置情報が表示されたモニタの表示画面を撮影することで、デジタルカメラに位置情報を取り込むことが可能であるが、上述したように、取り込んだ位置情報は文字のコードデータであり、このコードデータは測位データとは異なるために撮影画像と記録する付随データとして扱うことができないといった問題がある。
【００１２】
本発明は、上記事情に鑑みてなされたものであり、簡単な操作により、撮影画像データと共に、撮影画像データに付随させる付随データとしての測位データを記録することのできるデジタルスチルカメラ及び測位データ付き画像記録システムを提供することを目的としている。
【課題を解決するための手段】
【００１３】
本発明のデジタルスチルカメラは、
被写体を撮像する撮像手段と、
前記撮像手段が撮像した撮像信号を信号処理し画像データを生成する信号処理手段と、
前記画像データを格納する画像格納手段と、
前記撮像手段が撮像した、現在位置情報を取得し前記現在位置情報を表示部に表示した位置情報表示手段の前記表示部の位置情報画像より、前記現在位置情報の数値データを抽出する位置情報抽出手段と、
前記位置情報抽出手段が抽出した前記数値データを前記画像格納手段への格納を制御する数値データ格納制御手段と
を備えて構成される。
【００１４】
本発明の測位データ付き画像記録システムは、
被写体を撮像する撮像手段と、
前記撮像手段が撮像した撮像信号を信号処理し画像データを生成する信号処理手段と、
前記画像データを格納する画像格納手段と、
現在位置情報を取得し前記現在位置情報を表示部に表示した位置情報表示手段と、
前記撮像手段が撮像した、前記位置情報表示手段の前記表示手段に表示された前記現在位置情報を取得し前記現在位置情報を表示部に表示した位置情報表示手段の前記表示部の位置情報画像より、前記現在位置情報の数値データを抽出する位置情報抽出手段と
前記位置情報抽出手段が抽出した前記数値データを前記画像格納手段への格納を制御する数値データ格納制御手段と
を備えて構成される。
【発明の効果】
【００１５】
本発明によれば、簡単な操作により、撮影画像データと共に、撮影画像データに付随させる付随データとしての測位データを記録することができるという効果がある。
【発明を実施するための最良の形態】
【００１６】
以下、図面を参照しながら本発明の実施例について述べる。
【実施例１】
【００１７】
図１ないし図１２は本発明の実施例１に係わり、図１は測位データ付き画像記録システムの概要を説明する図、図２は図１のDSCの前面の外観を示す図、図３は図１のDSCの敗面の外観を示す図、図４は図１のDSCの内部構成を示すブロック図、図５は図３のDSCの処理を説明するフローチャート、図６は図５の処理を説明する第１の図、図７は図５の処理を説明する第２の図、図８は図５の測位データ取得処理を説明するフローチャート、図９は図８の処理を説明する第１の図、図１０は図８の処理を説明する第２の図、図１１は図８の処理を説明する第３の図、図１２は図１のDSCの応用例を説明する図である。
【００１８】
図１に示すように、本実施例の測位データ付き画像記録システムは、地球の所定軌道に配置された複数の人工衛星１によるＧＰＳ（Global Positioning 
System 
）を用いて現在位置を測位することのできる位置情報表示手段としてのＧＰＳ機能付き携帯電話（以下、単に携帯電話と記す）２と、この携帯電話２の表示モニタ２aに表示されたＧＰＳによる測位結果である文字画像からなる位置情報を撮影し、数値データからなる測位データを抽出・算出するデジタルスチルカメラ（以下、DSCと記す）３とを備えて構成される。
【００１９】
DSC３は、図２に示すように、前面に被写体像を入射するレンズ部３aと、上部にファインダ部３b及びシャッタ３cを備えて構成される。また、DSC３は、図３に示すように、背面に、例えば液晶モニタからなる表示モニタ部１０、ＧＰＳスイッチ１１、十字キー１２を有して構成される。液晶モニタ部１０は撮像した被写体のデジタル画像データや各種メニュー画面を表示するようになっている。また、ＧＰＳスイッチ１１は、DSC３のモードを通常撮影モードとＧＰＳによる測位データを抽出・算出を行うＧＰＳモードとを切り替える。十字キー１２は、表示モニタ部１０上の各種メニュー画面を操作する操作キーとして作用するようになっている。また、十字キー１２は、「↑」キー１２a、「↓」キー１２b、「←」キー１２c、「→」キー１２dから構成される。
【００２０】
DSC３は、内部に、図４に示すように、撮像手段としての撮像部３１、画像処理部３２、画像格納手段としてのデータメモリ部３３、表示制御部３４、タイマ３５、文字認識処理部３６、パターンデータ格納部３７、位置情報抽出手段としての位置情報抽出部３８、スイッチI/F部３９、数値データ格納制御手段としてのカメラ制御部４０を備えている。
【００２１】
前記撮像部３１は、前記レンズ部３aを介して被写体を撮像する撮像素子（図示せず）を備えた撮像ユニットであって、前記撮像素子は、例えばCCDあるいはC-MOSセンサから構成される。
【００２２】
前記画像処理部３２は、前記撮像部３１からの撮像信号を画像処理する信号処理部である。前記データメモリ部３３は、前記画像処理部３２にて処理され、生成された画像データを、例えばExif形式のフォーマットで格納するメモリ部であって、DSC３に対して着脱自在な、公知のメモリカード等の可搬なメモリ媒体から構成されている。
【００２３】
したがって、データメモリ部３３に格納されたデータは、データメモリ部３３をDSC３より取り外し、データメモリ部３３をパーソナルコンピュータ（以下、PC：図示せず）に装着することで、PCに容易に移動させることができる。
【００２４】
前記表示制御部３４は、前記画像処理部３３からの画像データあるいは、前記データメモリ部３３に格納されている画像データを前記表示モニタ１０に表示させる制御部である。
【００２５】
前記タイマ３５は、現在時刻をリアルタイムにカウントする時間計測部であって、現在の時刻情報を時刻データとして前記データメモリ部３３、前記表示制御部３４、前記カメラ制御部４０に出力する。前記データメモリ部３３は、画像データの格納時にこの時刻データを、例えばExif形式のフォーマットにおける付随データとして、画像データと共に格納する。また、前記表示制御部３４は、表示モニタ１０に表示させる画像データに時刻データに基づく時刻を示す時刻文字画像を重畳させて表示する。
【００２６】
前記文字認識処理部３６は、前記ＧＰＳスイッチ１１によって前記DSC３のモードがＧＰＳモードの場合に、前記携帯電話２の表示モニタ２aに表示されたＧＰＳによる測位結果である文字画像を撮像した際の画像データから文字情報を認識し、測位結果である文字画像上の全文字の文字コードを生成する情報処理部である。
【００２７】
前記位置情報抽出部３８は、前記パターンデータ格納部３７に格納されているパターンデータを用いて前記文字認識処理部３６が認識した文字コードから、位置情報データの文字コードのみを抽出し、抽出した位置情報データの文字コードより数値データを算出して前記データメモリ部３３に出力する情報処理部である。
【００２８】
ここで、位置情報抽出部３８が最初に抽出した位置情報データの文字コードは、緯度及び経度の数字の、例えばアスキーコードであり、位置情報抽出部３８は、この緯度及び経度の数字の文字コードから、本来の緯度及び経度の数値データを算出する。前記データメモリ部３３は、この数値データを、例えばExif形式のフォーマットにおける付随データとして、画像データと共に格納する。
【００２９】
スイッチI/F部３９は、シャッタ３c、ＧＰＳスイッチ１１、十字キー１２（「↑」キー１２a、「↓」キー１２b、「←」キー１２c、「→」キー１２d）の操作状態をカメラ制御部４０に送信するI/F部である。
【００３０】
次に、このように構成された本実施例の作用について図５及び図８のフローチャートを用い、図６、図７及び図９ないし図１２を参照して説明する。
【００３１】
ここで、図５の処理の概略を先に説明すると、図５の処理は被写体を撮影した後に、撮影した場所の位置情報を撮影画像と共にデータメモリ部３３に付随データとして格納する処理である。
【００３２】
DSC３では電源がオンされると、図５に示すように、カメラ制御部４０は、ステップS１にて通常撮影モードとなって、通常撮影処理の動作を開始する。この通常撮影処理動作は、公知の通常のデジタルカメラの撮影処理操作と同じであるので詳細な説明は省略する。
【００３３】
この通常撮影処理の動作が開始されると、カメラ制御部４０は、ステップS２にて表示制御３４を制御し、画像処理部３２にて処理され、生成された、図６に示すような、撮像部３１が撮像した被写体の動画の画像データを表示モニタ１０に表示させる。
【００３４】
図６に示すように、表示モニタ１０は、上述したように、撮像部３１が撮像した被写体の動画の画像データ５０を表示すると共に、測位データ表示画像５１を動画の画像データ５０に重畳表示する。なお、この段階では、カメラ制御部４０が測位データを有していないので、図６では、測位データ表示画像５１の数値データ部分には「−−」という表示となっている。
【００３５】
そして、カメラ制御部４０は、ステップS３にてスイッチI/F部３９を介してシャッタ３cがオンされたかどうか判断する。シャッタ３cがオンされると、カメラ制御部４０は、ステップS４にてシャッタ３cオンのタイミングで撮像部３１が撮像した被写体の静止画の画像データをデータメモリ部３３に格納してステップS５に進む。シャッタ３cがオンされない場合にはステップS３よりステップS５に処理が移行される。
【００３６】
ステップS５では、カメラ制御部４０は、スイッチI/F部３９を介してＧＰＳスイッチ１１がオンされたかどうか判断する。ＧＰＳスイッチ１１がオンされると、カメラ制御部４０は、ステップS１００にて測位データ取得処理を実行してステップS６に進む。このステップS１００における測位データ取得処理については、後述する。なお、測位データ取得処理により取得された測位データ（緯度及び経度の数値データ）は、位置情報抽出部３８内の図示しないメモリ部に格納される。
【００３７】
ＧＰＳスイッチ１１がオンされない場合には、カメラ制御部４０は、ステップS５よりステップS９に処理を移行する。
【００３８】
ステップS６では、カメラ制御部４０は、撮影時刻t0と測位時刻tとを比較する。ここで、撮影時刻t0とはステップS３にてシャッタ３cがオンされたと判断した際に、カメラ制御部４０がタイマ３５より取得した時刻データであって、カメラ制御部４０内の図示しないデータレジスタに格納されているデータである。また、測位時刻tとはステップS１００にて測位データ取得処理によりカメラ制御部４０が測位データ（緯度及び経度の数値データ）を算出した際の、カメラ制御部４０がタイマ３５より取得した時刻データであって、カメラ制御部４０内の図示しないデータレジスタに格納されているデータである。
【００３９】
そして、カメラ制御部４０は、ステップS７にて、t-t0＞ΔTかどうか、すなわち、測位時刻tは撮影時刻t0より所定時間ΔT経過した時刻かどうか判断する。つまり、撮影時刻t0より測位時刻tが所定時間ΔTを超えている場合には、ユーザが撮影した位置より違う位置に移動した可能性が高い。
【００４０】
この処理は、このような移動が行われたどうかを判断するための判断処理である。本実施例では、一例として例えばΔT＝６時間としているが、これに限らない。
【００４１】
t-t0＞ΔTでないと判断すると、カメラ制御部４０は、ステップS８にて位置情報抽出部３８を制御し、位置情報抽出部３８内の図示しないメモリ部の測位データ（緯度及び経度の数値データ）をステップS４において格納した画像データと共に、例えばExif形式のフォーマットにおける付随データとして格納し、ステップS９に進む。
【００４２】
また、t-t0＞ΔTと判断すると、カメラ制御部４０は、ステップS１０にて位置情報抽出部３８を制御し、位置情報抽出部３８内の図示しないメモリ部から測位データ（緯度及び経度の数値データ）を消去しステップS１に戻る。
【００４３】
そして、カメラ制御部４０は、このようなステップS１〜ステップS１０の一連の処理をステップS９にて撮影終了（電源オフ）を検知するまで繰り返す。
【００４４】
このようにして撮影後に、ＧＰＳスイッチ１１がオンされ、カメラ制御部４０が測位データ（緯度及び経度の数値データ）を算出し、測位データ（緯度及び経度の数値データ）をステップS４において格納した画像データと共に、例えばExif形式のフォーマットにおける付随データとして格納した場合、例えば撮影した画像を再生すると、図７に示すような撮影した静止画５０aが表示モニタ１０に表示される。このとき表示モニタ１０には撮影した静止画５０aの直下に重畳表示された測位データ表示画像５２上に、撮影した場所の、測位データ（緯度及び経度の数値データ）に基づく位置情報が表示される。
【００４５】
なお、図７では測位データ（緯度及び経度の数値データ）が「35,39,51,80、139,21,52,25」のとき、この測位データに基づいて、位置情報が「北緯35度39分51秒80、東経139度21分52秒25」と表示された例を示している。
【００４６】
つぎに、上記ステップS１００における測位データ取得処理について説明する。この測位データ取得処理では、図８に示すように、カメラ制御部４０は、ステップS１０１にて測位データ画像を表示モニタ１０に表示させる。
【００４７】
測位データ画像は、携帯電話２の表示モニタ２a（図１参照）に表示されたＧＰＳによる測位結果である文字画像であって、図９に示すように、DSC３は、携帯電話２の表示モニタ２aを撮像部３１にて撮像することで、表示モニタ２a上の測位データ画像７５を表示モニタ１０に表示する。
【００４８】
ここで、ＧＰＳスイッチ１１がオンされると、カメラ制御部４０は、表示モニタ１０にガイドライン枠５４を重畳表示させ、このガイドライン枠５４に測位データ画像７５を収めた構図をユーザに促すようになっている。
【００４９】
そして、カメラ制御部４０は、ステップS１０２にてシャッタ３cがオンされたかどうか判断し、シャッタ３cがオンされたと判断すると、カメラ制御部４０は、ステップS１０３にて撮像部３１を介して携帯電話２の表示モニタ２aを被写体とした画像を取り込み、画像処理部３２を経て文字認識部３６に出力する。
【００５０】
そして、カメラ制御部４０は、ステップS１０４にて文字認識部３６を制御し、文字認識部３６が文字認識処理を実行する。この文字認識処理では、文字認識部３６は、携帯電話２の表示モニタ２aを被写体とした画像から文字画像のみを抽出し、文字画像を公知のパターンマッチング手法によりコード化し、コード化された文字コードを位置情報抽出部３８に出力する。
【００５１】
続いて、カメラ制御部４０は、ステップS１０５にて位置情報抽出部３８を制御し、位置情報抽出部３８が測位データ部分の文字コードを抽出する。具体的には、図１０に示すように、位置情報抽出部３８は、文字認識部３６からの文字認識結果である文字コードと、パターンデータ格納部３７に格納されているパターンデータとを比較し、同一パターンの文字コード列である測位データの文字コードを抽出（パターン抽出）する。
【００５２】
そして、カメラ制御部４０は、ステップS１０６にて位置情報抽出部３８を制御し、位置情報抽出部３８がパターン抽出できたかどうか判断し、パターン抽出できた場合には、ステップS１０７に進み、パターン抽出できない場合には、カメラ制御部４０は、ステップS１０９にて、例えば表示モニタ１０を用いユーザに告知等を行うエラー処理を行いステップS１０１に戻る。
【００５３】
ステップS１０７では、カメラ制御部４０は、位置情報抽出部３８を制御し、位置情報抽出部３８がステップS１０５において抽出した測位データの文字コードを、図１０に示すように、数値化した数値データに変換して算出する。
【００５４】
なお、このとき、カメラ制御部４０は、表示制御部３４を制御し、図１１に示すように、位置情報抽出部３８が算出した測位データの数値データに基づく、確認画像５５を表示モニタ１０に表示させ、ユーザに対してOKボタン５７あるいはキャンセルボタン５６を選択させて、数値データのユーザによる確認を行うようにしてもよい。
【００５５】
そして、カメラ制御部４０は、ステップS１０８にデータイマ３５より位置情報抽出部３８が算出した時刻データである測位時刻tを取り込み、この測位時刻tをカメラ制御部４０内の図示しないデータレジスタに格納すると共に、位置情報抽出部３８が算出した測位データの数値データを位置情報抽出部３８内の図示しないメモリ部に格納し処理を終了する。
【００５６】
このように本実施例では、DSC３は被写体が撮影され、ＧＰＳスイッチ１１がオンされる通常撮影モードからＧＰＳモードに切り替わる。そして、現在位置の測位はＧＰＳ機能付きの携帯電話２に実行させ、この測位データを有する測位データ画像を携帯電話２の表示モニタ２aに表示させる。その後、表示モニタ２aを撮影し、測位データ画像に対して、文字認識処理、測位データの文字コード抽出処理、文字コードの数値数値化処理を実行し、データメモリ部３３に格納した画像データと共に、例えばExif形式のフォーマットにおける付随データとしてデータメモリ部３３に格納する。したがって、通常撮影と同様な操作にて、簡単に、測位データを付随データとしてデータメモリ部３３に格納することができる。
【００５７】
また、図１２に示すように、データメモリ部３３は、上述したように、例えばDSC３に対して着脱自在な、公知のメモリカード等の可搬なメモリ媒体から構成しているので、データメモリ部３３に格納されている、Exif形式のフォーマットに従っている画像データ及び付随データとしての測位データをPC２００に転送でき、PC２００上で画像データを編集したり、測位データに基づき撮影された撮影場所の地図を展開でき、画像データと地図情報をリンクさせて画像データをファイル化することも容易に行うことができる。
【実施例２】
【００５８】
図１３ないし図１５は本発明の実施例２に係わり、図１３はDSCの処理を説明するフローチャート、図１４は図１３の処理を説明する第１の図、図１５は図１３の処理を説明する第２の図である。
【００５９】
実施例２は、実施例１と構成は同一であり、処理が異なるのみであるから、異なる点のみ説明する。
【００６０】
実施例１では、被写体を撮影した後に、撮影した場所の位置情報を撮影画像と共にデータメモリ部３３に付随データとして格納するとしたが、本実施例は、測位データを取得した後に、被写体を撮影して、画像データと付随データとして測位データとを同時にデータメモリ部３３に格納する（以下、測位撮影と記す）。
【００６１】
具体的には、本実施例では、図１３に示すように、カメラ制御部４０は、実施例１で説明したステップS１〜S１００の処理を行った後、ステップS２１にて、図１４に示すように、取得した測位データを表示モニタ１０に、撮像部３１が撮像している被写体の動画像に重畳して表示する。
【００６２】
この図１４の状態では、ユーザは、撮影の構図のために。表示モニタ１０に被写体の動画を表示している段階で、測位データを確認できる。
【００６３】
そして、カメラ制御部４０は、ステップS２２にて現在時刻Tと測位時刻tとを比較する。続いてカメラ制御部４０は、ステップS２３にて、T-t＞ΔT0かどうか、すなわち、現在時刻Tは測位時刻tより所定時間ΔT0経過した時刻かどうか判断する。つまり、測位時刻tからの現在時刻Tの経過時間が長くなれれば、ユーザが測位した位置と違う位置いる可能性が高い。本実施例では、一例としてΔT0＝６時間としているが、これに限らない。
【００６４】
さらに、現在時刻Tは測位時刻tより所定時間ΔT0経過していれば、カメラ制御部４０は、ステップS２４にてT-t＞ΔT1（＞ΔT0）かどうか、すなわち、現在時刻Tは測位時刻tより所定時間ΔT1（＞ΔT0）経過した時刻かどうか判断する。つまり、測位時刻tからの現在時刻Tの経過時間がΔT0よりも長いΔT1経過すると、測位時刻tに測位した測位データの信頼性が低下し、この現在時刻Tにおける測位データが意味をなさないと考えられる。本実施例では、一例としてΔT0＝１２時間としているが、これに限らない。
【００６５】
ステップS２３において、現在時刻Tは測位時刻tより所定時間ΔT0経過していない、すなわち、０＜＝T-t＜＝ΔT0ならば、カメラ制御部４０は、ステップS２５にて、例えば図１４及び図１５に示すように、経過時間に応じた測位データが表示される測位データ表示画像５１の表示形態を変更（例えば、（１）表示色を変える：０分＜＝T-t＜１０分なら青色表示（図１４：第１のハッチングで示している）、１０分＜＝T-t＜３０分なら黄色表示（図示せず）、３０分＜＝T-t＜＝９０分なら赤色表示（図１５：第２のハッチングで示している）、（２）マーカを点滅重畳表示させ、点滅間隔を変える等）して表示モニタ１０に表示することで時間経過をユーザに警告する処理を実行する。
【００６６】
例えば図１４の状態の被写体の動画５０ときの現在時刻Tに近い測位時刻tでの測位データは信頼できるが、図１５に示すように例えば測位時刻tから６０分以上経過した状態の動画５０ときの現在時刻Tの測位データの信頼度は低下するため、測位データの表示形態を変更することで、再度、測位データを取得することをユーザに促すことができる。
【００６７】
また、ステップS２４においてT-t＞ΔT1（＞ΔT0）と判断すると、実施例１で説明したように、カメラ制御部４０は、ステップS２６にて測位データの消去を行い、ステップS１に戻る。
【００６８】
ステップS２５の警告表示を行っている間に、カメラ制御部４０は、ステップS２７にて表示モニタ１０に表示されている中止ボタン８０（図１４参照）がユーザに操作されたことを検知すると、測位撮影中止と判断しステップS１に戻る。
【００６９】
また、中止ボタン８０の操作が検知されない場合は、カメラ制御部４０は、ステップS２８にてシャッタ３cがオンされたかどうか判断する。そして、カメラ制御部４０は、ステップS２９にて画像データに測位データを付加（付随）させてデータメモリ部３３に格納する。そして、カメラ制御部４０は、上記の処理をステップS２９にて撮影終了を検知する間で繰り返す。
【００７０】
このように本実施例では、実施例１と同様な効果を得ると共に、撮影前に測位しているので、測位データを表示モニタ１０の撮影対象である被写体像上に表示でき、ユーザが撮影画像に測位データを付加（付随）させるかどうかが選択できる。
【００７１】
また、ユーザは測位データ表示画像５１の表示形態を確認することで、容易に測位データの信頼度が判断できる。
【００７２】
なお、上記各実施例では、ステップS１００における測位データ取得処理において、形態電話２の表示モニタ２aの画像を文字画像としたが、これに限らす、例えば図１６に示すように、文字画像の代わりに測位データを規格化したバーコード７５aを形態電話２の表示モニタ２aに表示させ、この規格に基づきDSC３にてバーコード７５aを撮像し、数値データである測位データを取得するようにしてもよいし、バーコード７５aに限らず、例えば２次元コードである、QRコードを表示させ、この規格に基づきDSC３にてバーコード７５aを撮像し、数値データである測位データを取得するようにしてもよい。
【００７３】
また、上記各実施例では、ＧＰＳ機能付きの携帯電話２を例に説明したが、これに限らず。ＧＰＳ機能付きのPDAや車搭載型のカーナビゲーションシステムの端末に測位データを表示させ、DSC３にて表示画像を撮影しても同様な作用／効果を得ることができることは言うまでもない。
【００７４】
本発明は、上述した実施例に限定されるものではなく、本発明の要旨を変えない範囲において、種々の変更、改変等が可能である。
【図面の簡単な説明】
【００７５】
【図１】本発明の実施例１に係る測位データ付き画像記録システムの概要を説明する図
【図２】図１のDSCの前面の外観を示す図
【図３】図１のDSCの敗面の外観を示す図
【図４】図１のDSCの内部構成を示すブロック図
【図５】図３のDSCの処理を説明するフローチャート
【図６】図５の処理を説明する第１の図
【図７】図５の処理を説明する第２の図
【図８】図５の測位データ取得処理を説明するフローチャート
【図９】図８の処理を説明する第１の図
【図１０】図８の処理を説明する第２の図
【図１１】図８の処理を説明する第３の図
【図１２】図１のDSCの応用例を説明する図
【図１３】本発明の実施例２に係るDSCの処理を説明するフローチャート
【図１４】図１３の処理を説明する第１の図
【図１５】図１３の処理を説明する第２の図
【図１６】本発明の変形例を説明する図
【符号の説明】
【００７６】
１…人工衛星
２…携帯電話
２a…表示モニタ
３…DSC
３１…撮像部
３２…画像処理部
３３…データメモリ部
３４…表示制御部
３５…タイマ
３６…文字認識処理部
３７…パターンデータ格納部
３８…位置情報抽出部
３９…スイッチI/F部
４０…カメラ制御部
【図１】
2008016980.tif 000003
【図２】
2008016980.tif 000004
【図３】
2008016980.tif 000005
【図４】
2008016980.tif 000006
【図５】
2008016980.tif 000007
【図６】
2008016980.tif 000008
【図７】
2008016980.tif 000009
【図８】
2008016980.tif 000010
【図９】
2008016980.tif 000011
【図１０】
2008016980.tif 000012
【図１１】
2008016980.tif 000013
【図１２】
2008016980.tif 000014
【図１３】
2008016980.tif 000015
【図１４】
2008016980.tif 000016
【図１５】
2008016980.tif 000017
【図１６】
2008016980.tif 000018